(57)【要約】【課題】一連の静止画を順次に表示することによって動画像を表示する場合に、表示の開始の遅れを抑制できるとともに動画像としての円滑さを保つことができる画像表示装置とその画像表示方法を提供する。【解決手段】壁紙用の動画像の表示を開始する場合、予め記憶部１１０の壁紙画像保存領域１１０１に格納される画像データに応じた先頭の静止画の画像データが表示部１０７において表示され、次いで、その先頭の静止画の次に表示すべき２番目の静止画の画像データが復号化部１０８において復号化される。そして、先頭の静止画の表示を開始してから規定の時間‘Ｔ２’が経過したとき、表示部１０７の表示画像が先頭の静止画から２番目の静止画に切替えられる。【選択図】図２
2007121783.tif 000002
【特許請求の範囲】
【請求項１】
一連の静止画を順次に表示する画像表示装置であって、
一連の静止画の符号化された画像データを記憶する第１の記憶手段と、
前記符号化された画像データを復号化する復号化手段と、
前記一連の静止画における先頭の静止画の復号化された画像データを記憶する第２の記憶手段と、
前記復号化手段において復号化された画像データに応じた静止画を表示する表示手段と、
前記一連の静止画の画像表示の開始指示を受けると、前記第２の記憶手段に記憶される前記画像データに応じた前記先頭静止画を前記表示手段に表示し、少なくとも当該先頭の静止画の次に表示すべき第２の静止画の画像データを前記第１の記憶手段から読み出して前記復号化手段により復号化し、当該先頭静止画の表示を開始してから第１の時間が経過したとき、前記表示手段に表示する画像を当該先頭静止画から前記第２の静止画に切替える制御手段と
を有することを特徴とする画像表示装置。
【請求項２】
前記制御手段は、前記表示手段が前記先頭静止画の表示を開始したときから前記復号化手段が次に表示すべき前記第２の静止画の画像データの復号化を終了するときまでの第２の時間を取得し、前記第１の時間に比べて前記第２の時間が短い場合、前記先頭静止画の表示を開始してから前記第１の時間が経過したとき、前記表示手段に表示する画像を前記先頭静止画から前記第２の静止画に切り替える
ことを特徴とする請求項１に記載の画像表示装置。
【請求項３】
前記制御手段は、前記表示手段が前記先頭静止画の表示を開始したときから前記復号化手段が次に表示すべき前記第２の静止画の画像データの復号化を終了するときまでの第２の時間を取得し、前記第１の時間と前記第２の時間との差を第３の時間として算出し、前記復号化の終了から前記第３の時間が経過したとき前記表示画像の切替えを行う
ことを特徴とする請求項１に記載の画像表示装置。
【請求項４】
前記制御手段は、前記第１の時間に比べて前記第２の時間が長い場合、前記復号化の終了後直ちに前記表示画像の切替えを行う
ことを特徴とする請求項２又は３に記載の画像表示装置。
【請求項５】
時刻を示す時刻データを発生する時刻データ発生手段を有し、
前記制御手段は、前記表示手段が先頭の静止画の表示を開始したとき前記時刻データ発生手段から取得した時刻データと、前記復号化手段が次に表示すべき静止画の画像データの復号化を終了したとき前記時刻データ発生手段から取得した時刻データとに基づいて、前記第２の時間を取得する
ことを特徴とする請求項３又は４に記載の画像表示装置。
【請求項６】
前記表示手段は、前記復号化手段において復号化された前記画像データに応じた静止画を順次に表示させる際に、所定の間隔をもって表示させる画像を切り替え、
前記第１の時間は、前記所定の間隔と略同一となるように設定されている
ことを特徴とする請求項１乃至５の何れか一つに記載の画像表示装置。
【請求項７】
一連の静止画を順次に表示する画像表示方法であって、
一連の静止画の符号化された画像データを第１の記憶手段に記憶させ、
前記一連の静止画における先頭の静止画の符号化された画像データを復号化して第２の記憶手段に記憶させ、
前記一連の静止画の画像表示の開始指示を受けると、前記第２の記憶手段に記憶された前記復号化された画像データに基づく前記先頭静止画を表示手段に表示させ、
前記第１の記憶手段に記憶された少なくとも当該先頭静止画の次に表示すべき第２の静止画の符号化された画像データを復号化し、
前記先頭静止画の表示を開始してから第１の時間が経過したとき、前記表示手段に表示する画像を当該先頭静止画から前記第２の静止画へ切替える
ことを特徴とする画像表示方法。
【請求項８】
前記先頭静止画の表示を開始してから前記第１の時間が経過したとき、前記画像データの復号化処理が実施されている場合に、当該復号化処理の終了後直ちに前記表示画像の切り替えを行う
ことを特徴とする請求項７に記載の画像表示方法。
【請求項９】
復号化された前記画像データに応じた静止画を順次表示させる際に、所定の間隔をもって表示させるとともに、
前記第１の時間は、前記所定の間隔と略同一となるように設定されている
ことを特徴とする請求項７又は８に記載の画像表示方法。
【発明の詳細な説明】
【技術分野】
【０００１】
本発明は、一連の静止画を順次に表示することによって動画像を表示する画像表示装置とその画像表示方法に係り、例えば、待受けモードにおける壁紙用の画像として動画像を表示する携帯端末などの画像表示装置に関するものである。
【背景技術】
【０００２】
近年、携帯型の電子機器はますます高機能になっており、例えば静止画や動画を表示可能な携帯電話機や携帯型ゲーム機が広く普及している。また、このような電子機器には、ＪＰＥＧ（joint photographic experts group）やＧＩＦ（graphic interchange format）などの様々な形式の画像ファイルを再生できるものがあり、例えば一般的な携帯電話機では、ユーザが任意に選んだ画像ファイルを外部から転送し、待受けモードにおける壁紙として表示することが可能である。
【０００３】
通常、携帯電話機で扱われる画像ファイルは、メモリの容量を節約する観点から圧縮符号化されており、これを再生するためには復号化処理を行う必要がある。そのため、例えば壁紙用の画像を切替える場合など、新たな画像ファイルを再生表示する場合には、画像ファイルの復号化に要する時間のために画像の表示が遅れてしまい、ユーザに不満を与えてしまうという不都合が生じる。
【０００４】
このような不都合を解消する方法として、画像データを予めメモリに保存する方法がある。この方法では、新たに画像ファイルを再生する場合、その復号化後の画像データをメモリに保存しておき、次にこの画像ファイルを再生する場合にはメモリの画像データを用いる。これにより、復号化処理を行うことなく画像を表示できるため、遅延を抑制することができる。
【０００５】
また動画像を表示する際の遅延を抑える方法として、特許文献１に記載される方法がある。この方法では、動画像の先頭画像を予め復号化してメモリに保存しておき、この動画像を再生するように要求された場合は、メモリに保存した先頭画像を最初に表示する。これにより、動画像の再生を要求すると直ちにその先頭画像が表示されるため、再生を要求してから再生が開始されるまで何の画像も表示されない場合に比べてユーザの不満を低減できる。
【特許文献１】特開２００５−１５１４８４号公報
【発明の開示】
【発明が解決しようとする課題】
【０００６】
ところでＧＩＦ形式の画像ファイルには、アニメーションを構成する各静止画の表示時間を１０ｍｓｅｃ単位で指定する情報が含まれており、アニメーションを再生する場合には、この表示時間の情報に従って静止画の切替えを行う必要がある。
【０００７】
しかしながら、特許文献１の方法では、先頭画像の表示を開始してから次の画像の表示を開始するまでの時間がなんら考慮されていないため、先頭画像の表示時間が予め指定された時間に対して大きくずれてしまうという不都合がある。
【０００８】
例えば、ＧＩＦファイルの再生要求を受けてから復号化処理が完了するまでの時間を‘ＴＡ’、ＧＩＦファイル内の情報によって指定されている各静止画の表示時間を‘ＴＢ’、先頭画像の表示時間を‘ＴＹ’とする。‘ＴＢ’は、ＧＩＦファイルの復号化処理を実行するまで不明であるため、仮に復号化処理が完了した時点から‘ＴＢ’だけ時間が経過した後に２番目の静止画を表示するものとすると、先頭画像の表示時間‘ＴＹ’は、
ＴＹ  ＝  ＴＡ  ＋  ＴＢ；
になる。この場合、先頭画像の表示時間‘ＴＹ’は指定された表示時間‘ＴＢ’に比べて復号化処理の時間‘ＴＡ’だけ長くなってしまう。
【０００９】
一方、復号化処理が完了した後直ちに２番目の静止画を表示すると、先頭画像の表示時間‘ＴＹ’は、
ＴＹ  ＝  ＴＡ；
となる。この場合、指定された表示時間‘ＴＢ’が復号化処理の時間‘ＴＡ’に比べて非常に長いと、上述とは逆に、先頭画像の表示時間‘ＴＹ’が他の静止画に比べて不自然に短くなってしまう。
【００１０】
このように、特許文献１の方法では、先頭の静止画の表示時間（ＴＹ）が復号化処理の時間（ＴＡ）の影響を受けて変化し、画像ファイルで指定されている時間（ＴＢ）からずれを生じる。そのため、動画像としての円滑さが損なわれてしまい、ユーザに違和感を与えるという不都合が生じる。
【００１１】
本発明はかかる事情に鑑みてなされたものであり、その目的は、一連の静止画を順次に表示することによって動画像を表示する場合に、表示の開始の遅れを抑制できるとともに動画像を円滑に再生できる画像表示装置とその画像表示方法を提供することにある。
【課題を解決するための手段】
【００１２】
本発明の第１の観点は一連の静止画を順次に表示する画像表示装置に関するものである。この画像表示装置は、一連の静止画の符号化された画像データを記憶する第１の記憶手段と、前記符号化された画像データを復号化する復号化手段と、前記一連の静止画における先頭の静止画の復号化された画像データを記憶する第２の記憶手段と、前記復号化手段において復号化された画像データに応じた静止画を表示する表示手段と、前記一連の静止画の画像表示の開始指示を受けると、前記第２の記憶手段に記憶される前記画像データに応じた前記先頭静止画を前記表示手段に表示し、少なくとも当該先頭の静止画の次に表示すべき第２の静止画の画像データを前記第１の記憶手段から読み出して前記復号化手段により復号化し、当該先頭静止画の表示を開始してから第１の時間が経過したとき、前記表示手段に表示する画像を当該先頭静止画から前記第２の静止画に切替える制御手段とを有する。
【００１３】
前記制御手段は、前記表示手段が前記先頭静止画の表示を開始したときから前記復号化手段が次に表示すべき前記第２の静止画の画像データの復号化を終了するときまでの第２の時間を取得し、前記第１の時間に比べて前記第２の時間が短い場合、前記先頭静止画の表示を開始してから前記第１の時間が経過したとき、前記表示手段に表示する画像を前記先頭静止画から前記第２の静止画に切り替えてよい。
【００１４】
また、前記制御手段は、前記表示手段が前記先頭静止画の表示を開始したときから前記復号化手段が次に表示すべき前記第２の静止画の画像データの復号化を終了するときまでの第２の時間を取得し、前記第１の時間と前記第２の時間との差を第３の時間として算出し、前記復号化の終了から前記第３の時間が経過したとき前記表示画像の切替えを行ってよい。
【００１５】
また、前記制御手段は、前記第１の時間に比べて前記第２の時間が長い場合、前記復号化の終了後直ちに前記表示画像の切替えを行ってよい。
【００１６】
前記第１の観点に係る画像表示装置は、時刻を示す時刻データを発生する時刻データ発生手段を有してよい。そしてこの場合、前記制御手段は、前記表示手段が先頭の静止画の表示を開始したとき前記時刻データ発生手段から取得した時刻データと、前記復号化手段が次に表示すべき静止画の画像データの復号化を終了したとき前記時刻データ発生手段から取得した時刻データとに基づいて、前記第２の時間を取得してよい。
【００１７】
前記表示手段は、前記復号化手段において復号化された前記画像データに応じた静止画を順次に表示させる際に、所定の間隔をもって表示させる画像を切り替えてよい。この場合、前記第１の時間は、前記所定の間隔と略同一となるように設定されていてよい。
【００１８】
本発明の第２の観点は、一連の静止画を順次に表示する画像表示方法に関するものである。この画像表示方法では、一連の静止画の符号化された画像データを第１の記憶手段に記憶させ、前記一連の静止画における先頭の静止画の符号化された画像データを復号化して第２の記憶手段に記憶させ、前記一連の静止画の画像表示の開始指示を受けると、前記第２の記憶手段に記憶された前記復号化された画像データに基づく前記先頭静止画を表示手段に表示させ、前記第１の記憶手段に記憶された少なくとも当該先頭静止画の次に表示すべき第２の静止画の符号化された画像データを復号化し、前記先頭静止画の表示を開始してから第１の時間が経過したとき、前記表示手段に表示する画像を当該先頭静止画から前記第２の静止画へ切替える。
【００１９】
前記先頭静止画の表示を開始してから前記第１の時間が経過したとき、前記画像データの復号化処理が実施されている場合に、当該復号化処理の終了後直ちに前記表示画像の切り替えを行ってよい。
【００２０】
復号化された前記画像データに応じた静止画を順次表示させる際に、所定の間隔をもって表示させるとともに、前記第１の時間は、前記所定の間隔と略同一となるように設定されていてよい。
【発明の効果】
【００２１】
本発明によれば、予め復号化した画像データに基づいて先頭の静止画を表示することにより、表示の開始の遅れを抑制できる。また、先頭の静止画を表示するときに次の静止画の復号化処理を行い、その表示開始の時点から所定の時間が経過してから次の静止画に切替えることによって、先頭の静止画の表示時間を所定の時間に設定することができる。
【発明を実施するための最良の形態】
【００２２】
＜第１の実施形態＞
図１は、本発明の第１の実施形態に係る画像表示装置の構成の一例を示す図であり、携帯電話機としての機能を有する画像表示装置の例を示す。
図１に示す画像表示装置は、アンテナ１０１と、通信部１０２と、キー入力部１０３と、音声処理部１０４と、スピーカ１０５と、マイクロフォン１０６と、表示部１０７と、復号化部１０８と、記憶部１０９，１１０と、時刻データ発生部１１１と、制御部１１５とを有する。
【００２３】
記憶部１０９は、第１の記憶手段の一実施形態である。
復号化部１０８は、復号化手段の一実施形態である。
記憶部１１０は、第２の記憶手段の一実施形態である。
表示部１０７は、表示手段の一実施形態である。
時刻データ発生部１１１は、時刻データ発生手段の一実施形態である。
制御部１１５は、制御手段の一実施形態である。
【００２４】
通信部１０２は、通信ネットワークに接続される不図示の基地局と無線通信を行う。例えば通信部１０２は、制御部１１５から供給される送信データに所定の変調処理を施して無線信号に変換し、アンテナ１０１から送出する。また、アンテナ１０１において受信される基地局からの無線信号に所定の復調処理を施して受信データに変換し、制御部１１５に出力する。
【００２５】
キー入力部１０３は、例えば数字キー、文字キー、矢印キー、決定キーなど、各種の機能を持ったキーを有しており、これらのキーがユーザによって操作された場合に、その操作内容に対応する信号を発生し、これをユーザの指示として制御部１１５に入力する。
【００２６】
音声処理部１０４は、スピーカ１０５において出力される音声信号やマイクロフォン１０６において入力される音声信号の処理を行う。すなわち、マイクロフォン１０６から入力される音声信号に増幅、アナログ−デジタル変換、符号化等の信号処理を施し、デジタルの音声データに変換して制御部１１５に出力する。また、制御部１１５から供給される音声データに復号化、デジタル−アナログ変換、増幅等の信号処理を施し、アナログの音声信号に変換してスピーカ１０５に出力する。
【００２７】
表示部１０７は、例えば液晶表示パネルや有機ＥＬパネルなどの表示デバイスを用いて構成されており、制御部１１５から供給される画像データに応じた画像を表示する。例えば、発信時における発信先の電話番号、着信時における着信相手の電話番号、受信メールや送信メールの内容、日付、時刻、バッテリ残量などの各種の情報を表示する。
また表示部１０７は、復号化部１０８において復号化された画像データが制御部１１５から供給される場合、これに応じた動画や静止画を表示する。例えば待受けモードにおいて壁紙用の動画や静止画を表示する。
【００２８】
記憶部１０９は、制御部１１５の処理で利用される各種のデータを記憶する。例えば、制御部１１５のコンピュータ・プログラムのコード、電話番号や電子メールアドレスを管理するアドレス帳、着信音やアラーム音を再生するための音声ファイル、待受けモードにおける壁紙用の画像ファイル、各種の設定データを記憶する。図１の例では、そのようなデータの１つとして、壁紙用の画像ファイルＦＩＬを示している。画像ファイルＦＩＬは、ＧＩＦ形式などの動画像のファイルである。
【００２９】
記憶部１０９は、例えば、電源をオフした後もデータを保持できるように、不揮発性の記憶デバイスによって構成される。具体的には、フラッシュメモリなどの不揮発性半導体メモリや、ハードディスク装置、光ディスク装置などによって構成される。
【００３０】
復号化部１０８は、記憶部１０９に格納される画像ファイル（図１の例では画像ファイルＦＩＬ）から画像を再生するための復号化処理を行う。すなわち、画像ファイルＦＩＬに含まれる符号化された画像データに所定の復号化処理を施して、一連の静止画の画像データ（例えばビットマップ形式の画像データ）を生成する。
復号化部１０８は、例えば内部にメモリを有しており、復号化した静止画の画像データをこのメモリに一時的に保存する。
【００３１】
記憶部１１０は、記憶部１０９からロードされるコンピュータ・プログラムのコードや、プログラムの処理過程で利用されるデータ、表示部１０７において画像の表示に用いられるビットマップ・データなど、一時的に保持する必要がある各種のデータを記憶する。
【００３２】
図１の例において、記憶部１１０は、壁紙画像保存領域１１０１とヒープ領域１１０２を有する。
【００３３】
壁紙画像保存領域１１０１は、復号化された壁紙用の画像データを保存する専用の記憶領域であり、この記憶領域には、画像ファイルＦＩＬによって再生される動画像の先頭画像の復号化された画像データ（例えばビットマップ形式の画像データ）が格納される。
【００３４】
ヒープ領域１１０２は、制御部１１５によって起動される各種のアプリケーションプログラムが使用する記憶領域である。例えば、待受けモードにおいて起動するアプリケーションプログラム（以下、待受けアプリと呼ぶ）は、壁紙用の画像を表示部１０７に表示する際、このヒープ領域１１０２に格納される復号化済みの画像データ（以下、画像インスタンスと呼ぶ）を保存する。
【００３５】
なお、起動中のアプリケーションプログラムによってヒープ領域１１０２に確保される記憶領域は、アプリケーションの終了に伴って開放される。例えば、待受けアプリによってヒープ領域１１０２に確保される画像インスタンスの記憶領域は、待受けアプリが終了すると開放される。そのため、待受けモードから別の動作モード（通話モードなど）へ移行するために待受けアプリを終了すると、ヒープ領域１１０２に格納された画像インスタンスは一旦消去される。別のモードから待受けモードに戻り、待受けアプリが再起動すると、待受けアプリはヒープ領域１１０２に再び画像インスタンスを保存する。
【００３６】
上述のように一時記憶領域として使用される記憶部１１０は、例えばランダム・アクセス可能な記憶デバイスによって構成される。具体的には、ＳＲＡＭやＤＲＡＭなどのＲＡＭによって構成される。
【００３７】
時刻データ発生部１１１は、時刻を示す時刻データを発生する。例えば、現在時刻の時分秒を表すデータや、システムが起動したとき（例えば電源をオンしたとき）からの経過時間を表すデータなどを発生する。
【００３８】
制御部１１５は、装置の全体的な動作を統括的に制御する。すなわち、回線交換網を介して行なわれる音声通話や、電子メールの作成と送受信、インターネットのＷｅｂサイトの閲覧、記憶部１０９に格納される画像ファイルの再生などの各種処理が適切な手順で実行されるように、通信部１０２における信号の送受信、音声処理部１０４における音声の入出力、復号化部１０８にける画像データの復号化、表示部１０７における画像の表示を制御する。
【００３９】
図１の例において、制御部１１５はコンピュータを有しており、上述した各種の処理をコンピュータのプログラムに従って実行する。すなわち制御部１１５は、記憶部１０９に格納されるオペレーティングシステムやアプリケーションプログラム等のプログラムを記憶部１１０にロードし、記憶部１１０からその命令コードを順に読み込んで処理を実行する。
【００４０】
また制御部１１５は、上述した各種処理の一部を、所定の実行環境プログラム（プラットフォーム）の元で動作するアプリケーションプログラムにより実行する。例えば、インターネットのＷｅｂサイトの閲覧や、待受けモードにおける壁紙用画像の表示などの処理をアプリケーションプログラムによって実行する。実行環境プログラムは、キー入力部１０３の入力操作などに応じて所定のイベントが発生すると、そのイベントに対応する所定のアプリケーションプログラムを起動して、特定の処理を実行する。
【００４１】
先述した待受けアプリは、そのようなアプリケーションプログラムの１つである。制御部１１５は、待受けアプリによって、待受けモード時の壁紙（背景画像）の表示処理を実行する。すなわち、記憶部１０９に格納される画像ファイルを待受けモード時の壁紙（背景画像）として再生する。
【００４２】
制御部１１５は、所定のイベントが発生した場合、画像ファイルＦＩＬの動画像の再生を開始する。例えば、記憶部１０９に格納される別の画像ファイル（不図示）から動画像の画像ファイルＦＩＬへ壁紙用の画像ファイルを変更するようにキー入力部１０３へ指示が入力された場合や、別の動作モード（例えば通話モードなど）から待受けモードへ戻るようにキー入力部１０３へ指示が入力された場合、動画像の再生を開始する。
【００４３】
動画像の再生を開始する場合、まず制御部１１５は、記憶部１１０の壁紙画像保存領域１１０１に格納される画像データに基づいて、動画像の画像ファイルＦＩＬの先頭の静止画を表示部１０７に表示する。すなわち、記憶部１１０の壁紙画像保存領域１１０１に格納される画像データを先頭の静止画の画像インスタンスとしてヒープ領域１１０２に保存し、この画像インスタンスを表示部１０７の画面に描画する。これにより、動画像の先頭の静止画は、復号化処理を実行することなく直ちに表示部１０７に表示される。
【００４４】
次いで制御部１１５は、画像ファイルＦＩＬを記憶部１０９から読み出し、先頭の静止画の次に表示すべき２番目の静止画（第２の静止画）の画像データを復号化部１０８において復号化する。復号化部１０８における画像ファイルＦＩＬの復号化処理は、復号化部１０８に内蔵される一時記憶用のメモリに余裕がある限り連続的に実行しても良いし、あるいは、１枚の静止画を表示している間に次の静止画を１枚ずつ復号化しても良い。先頭画像の次の静止画の復号化処理が完了すると、制御部１１５は、その復号化された当該次の静止画の画像データを２番目の静止画の画像インスタンスとしてヒープ領域１１０２に保存する。
なお制御部１１５は、この復号化処理を行うとき、各静止画の表示時間‘Ｔ２’に関する情報を画像ファイルＦＩＬから取得する。
【００４５】
制御部１１５は、先頭の静止画の表示を開始してから時間‘Ｔ２’が経過したとき、表示部１０７の表示画像を先頭の静止画から次の静止画に切替える。すなわち、ヒープ領域１１０２に格納される２番目の静止画の画像インスタンスを表示部１０７の画面に描画する。
【００４６】
例えば制御部１１５は、表示部１０７が先頭の静止画の表示を開始したときから復号化部１０８がこの先頭静止画の次に表示すべき２番目の静止画の画像データの復号化を終了するときまでの時間‘Ｔ４’を取得し、時間‘Ｔ２’と‘Ｔ４’との差‘Ｔ２−Ｔ４’を算出する。そして、２番目の静止画の復号化を終了したときから時間‘Ｔ２−Ｔ４’が経過したとき、表示部１０７の表示画像の切替えを行う。
【００４７】
制御部１１５は、例えば時刻データ発生部１１１が発生する時刻データに基づいて、時間‘Ｔ４’を取得する。すなわち、表示部１０７が先頭の静止画の表示を開始したとき（時刻‘Ｔ１’）に時刻データ発生部１１１から取得した時刻データと、復号化部１０８が次に表示すべき２番目の静止画の画像データの復号化を終了したとき（時刻‘Ｔ３’）に時刻データ発生部１１１から取得した時刻データとに基づいて、時刻‘Ｔ３’と‘Ｔ１’との差‘Ｔ３−Ｔ１’を算出することにより、時間‘Ｔ４’を取得する。
【００４８】
また制御部１１５は、復号化部１０８が次に表示すべき２番目の静止画の画像データの復号化を終了した時刻‘Ｔ３’の後、時刻データ発生部１１１から時刻データを繰り返し取得する。このとき、時刻データ発生部１１１から時刻データを取得する時間間隔は、時間‘Ｔ２−Ｔ４’より短くなるように設定する。そして制御部１１５は、時刻‘Ｔ３’において時刻データ発生部１１１から取得した時刻データと、時刻データ発生部１１１から繰り返し取得する時刻データとを比較し、時刻‘Ｔ３’からの経過時間が時間‘Ｔ２−Ｔ４’達しているか監視する。時刻‘Ｔ３’からの経過時間が時間‘Ｔ２−Ｔ４’に達すると、制御部１１５は表示部１０７の表示画像を先頭の静止画から２番目の静止画へ切替える。
【００４９】
なお、時間‘Ｔ４’が時間‘Ｔ２’より長い場合、すなわち先頭の静止画の表示を開始してから時間‘Ｔ２’が経過したときに、復号化部１０８による２番目の静止画の復号化処理が終了しておらず、復号化部１０８が２番目の静止画の復号化処理を終了したとき既に先頭の静止画の表示時間が‘Ｔ２’を超えている場合、制御部１１５は、先頭の静止画の表示を開始してから時間‘Ｔ２’が経過したときではなく復号化の終了後直ちに表示部１０７の表示画像の切替えを行う。
【００５０】
ここで、上述した構成を有する図１に示す画像表示装置の２つの動作例について、図２及び図３のフローチャートを参照して説明する。
【００５１】
図２は、図１に示す画像表示装置の第１の動作例を示すフローチャートである。
【００５２】
壁紙用画像ファイルとして画像ファイルＦＩＬを表示するように指示を受けた場合や、別の動作モードから待受けモードに戻るように指示を受けた場合、制御部１１５は壁紙アプリによって画像ファイルＦＩＬの表示処理を開始する。
【００５３】
まず制御部１１５は、画像ファイルＦＩＬの先頭画像の復号化された画像データ（例えばビットマップ形式の画像データ）が記憶部１１０の壁紙画像保存領域１１０１に格納されているか否か判定する（ステップＳＴ１０１）。
壁紙画像保存領域１１０１に画像データが格納されている場合、制御部１１５は、その画像データを壁紙用の画像インスタンスとしてヒープ領域１１０２に格納する（ステップＳＴ１０３）。
壁紙画像保存領域１１０１に画像データが格納されていない場合、制御部１１５は、画像ファイルＦＩＬに含まれる先頭の静止画の画像データを復号化部１０８において復号化し、その復号化結果の画像データを壁紙画像保存領域１１０１に格納する（ステップＳＴ１０２）。そして、壁紙画像保存領域１１０１に格納した画像データを壁紙用の画像インスタンスとしてヒープ領域１１０２に格納する（ステップＳＴ１０３）。
【００５４】
次いで制御部１１５は、ヒープ領域１１０２に格納した画像データを表示部１０７の画面に描画する（ステップＳＴ１０４）。これにより、表示部１０７の画面には、動画像の先頭の静止画が表示される。
【００５５】
先頭の静止画の表示を開始すると、制御部１１５は時刻データ発生部１１１から時刻データを取得する（ステップＳＴ１０５）。制御部１１５は、このとき取得した時刻データを、先頭の静止画の表示開始時刻‘Ｔ１’を示す時刻データとして記憶部１１０に保存する。
【００５６】
次いで制御部１１５は、記憶部１０９に格納される画像ファイルＦＩＬを読み出し、先頭の静止画の次に表示すべき２番目の静止画を含む画像ファイルＦＩＬの全ての画像データを復号化部１０８において復号化する（ステップＳＴ１０６）。またこのとき、画像ファイルＦＩＬに含まれる各静止画の規定の表示時間‘Ｔ２’に関する情報を取得し、記憶部１１０に保存する。
【００５７】
復号化部１０８において２番目の静止画の復号化処理が終了すると、制御部１１５は復号化結果の画像データを復号化部１０８から取得し、２番目の静止画の画像インスタンスとしてヒープ領域１１０２に保存する（ステップＳＴ１０７）。
【００５８】
また制御部１１５は、２番目の静止画の復号化処理が終了すると、時刻データ発生部１１１から時刻データを取得する（ステップＳＴ１０８）。制御部１１５は、このとき取得した時刻データを、２番目の静止画の復号化処理終了時刻‘Ｔ３’を示す時刻データとして記憶部１１０に保存する。
【００５９】
ここで制御部１１５は、ステップＳＴ１０５で取得した表示開始時刻‘Ｔ１’の時刻データと、ステップＳＴ１０８で取得した復号化処理終了時刻‘Ｔ３’の時刻データとに基づいて、２番目の静止画の復号化処理終了に要した時間‘Ｔ４’（＝Ｔ３−Ｔ１）を算出する（ステップＳＴ１０９）。
そして、制御部１１５は、この復号化処理時間‘Ｔ４’と各静止画の規定の表示時間‘Ｔ２’とを比較し（ステップＳＴ１１０）、規定の表示時間‘Ｔ２’が復号化処理時間‘Ｔ４’より長いならば、待ち時間を‘Ｔ２−Ｔ４’に設定し（ステップＳＴ１１１）、時間‘Ｔ２−Ｔ４’の待ち時間を経過した後、２番目の静止画の画像インスタンスを描画する（ステップＳＴ１１３）。規定の表示時間‘Ｔ２’が復号化処理時間‘Ｔ４’より短いならば、待ち時間を設けることなく（ステップＳＴ１１２）直ちに次の静止画の画像インスタンスを描画する（ステップＳＴ１１３）。
【００６０】
その後、制御部１１５は、壁紙用の動画像の表示を終了する所定のイベントが発生しているか判定し（ステップＳＴ１１４）、そのようなイベントが発生していない場合は、ステップＳＴ１０５以降の処理を繰り返す。
すなわち、新たな静止画の表示開始時刻‘Ｔ１’の時刻データを取得し（ステップＳＴ１０５）、その次に表示すべき静止画の復号化処理を実行する（ステップＳＴ１０６）。次の静止画の復号化が終了したら、その復号化結果を画像インスタンスとして保存し（ステップＳＴ１０７）、復号化処理終了時刻‘Ｔ３’の時刻データを取得する（ステップＳＴ１０８）。そして、復号化処理に要した時間‘Ｔ４’（Ｔ３−Ｔ１）を算出し（ステップＳＴ１０９）、その時間‘Ｔ４’が規定の表示時間‘Ｔ２’より短い場合は待ち時間‘Ｔ２−Ｔ４’を経過した後で、時間‘Ｔ４’が規定の表示時間‘Ｔ２’より長い場合は直ちに、次の静止画の描画を行う（ステップＳＴ１１３）。
したがって、表示部１０７において１つの静止画を表示している間、復号化部１０８ではその次に表示すべき１つの静止画の画像データが復号化される。
【００６１】
図３は、図１に示す画像表示装置の第２の動作例を示すフローチャートである。
【００６２】
第２の動作例において、復号化部１０８は静止画の復号化処理を連続的に実行する。すなわち、ステップＳＴ１０６において復号化処理が開始されると、復号化部１０８は２番目だけでなくそれ以降の静止画の復号化処理も連続的に実行する。復号化部１０８は、例えば２枚以上の静止画の復号化結果を保持できるメモリを内蔵しており、このメモリに空きがある限り、静止画の復号化処理を行う。そのため、２番目以降の静止画の表示を開始する際、復号化部１０８はその次に表示すべき静止画の復号化処理を既に終了しているか、あるいは、復号化処理を途中まで進行している。
【００６３】
図３に示すフローチャートにおけるステップＳＴ１０１〜ＳＴ１１４は、図２に示すフローチャートにおける同一符号のステップと同じである。図３のフローチャートは、ステップＳＴ１１４において動画像の表示を続行すると判定した場合、次に述べるステップＳＴ１１５及びＳＴ１１６の処理を経てステップＳＴ１０７の画像インスタンス保存処理に戻る点で、図２に示すフローチャートと異なる。
【００６４】
ステップＳＴ１１４において動画像の表示処理の続行を判定すると、制御部１１５は時刻データ発生部１１１から時刻データを取得する（ステップＳＴ１１５）。制御部１１５は、このとき取得した時刻データを、現在表示中の静止画の表示開始時刻‘Ｔ１’を示す時刻データとして記憶部１１０に保存する。
【００６５】
次に制御部１１５は、復号化部１０８において次に表示すべき静止画の復号化処理が終了しているか否か判定し（ステップＳＴ１１６）、復号化処理が終了したと判定したら、ステップＳＴ１０７に戻る。そして、その復号化結果の画像データを次に表示すべき静止画の画像インスタンスとしてヒープ領域１１０２に保存する。以降、制御部１１５は、先に説明したステップＳＴ１０８〜ＳＴ１１３の処理を実行し、現在表示中の静止画の表示開始時刻‘Ｔ１’から規定の時間‘Ｔ２’が経過したとき、表示部１０７の表示画像を次の静止画に切替える。
【００６６】
以上説明したように、本実施形態に係る画像表示装置によれば、壁紙用の動画像の表示を開始する場合、予め記憶部１１０の壁紙画像保存領域１１０１に格納される画像データに応じた先頭の静止画の画像データが表示部１０７において表示され、次いで、その先頭の静止画の次に表示すべき２番目の静止画の画像データが復号化部１０８において復号化される。そして、先頭の静止画の表示を開始してから規定の時間‘Ｔ２’が経過したとき、表示部１０７に表示する画像が先頭の静止画から２番目の静止画に切替えられる。
このように、予め復号化した画像データに基づいて先頭の静止画を表示することによって、表示の開始の遅れを抑制できるとともに、先頭の静止画の表示を開始してから規定の時間‘Ｔ２’が経過したときに表示部１０７の表示画像を次の静止画に切替えることによって、先頭の静止画の表示時間を規定の時間‘Ｔ２’に設定できる。したがって、表示の開始の遅れを抑制しつつ、動画像を円滑に再生することができる。
【００６７】
また、本実施形態に係る画像表示装置によれば、先頭の静止画の表示を開始してから次の静止画の復号化処理が終了するまでの時間‘Ｔ４’が規定の表示時間‘Ｔ２’より長い場合、その復号化処理の終了後直ちに表示部１０７の表示画像が次の静止画に切替えられる。これにより、先頭の静止画が実際に表示される時間と規定の表示時間‘Ｔ２’とのずれを最小限に抑えることができるため、動画像の不自然さを低減できる。
【００６８】
また、本実施形態に係る画像表示装置によれば、先頭の静止画の表示を開始してから次の静止画の復号化処理が終了するまでの時間‘Ｔ４’を、時刻データ発生部１１１において発生する時刻データに基づいて取得することにより、表示部１０７の表示画像を正確なタイミングで切替えることができる。
また、次の静止画の復号化処理を終了してから時間‘Ｔ２−Ｔ４’が経過したか否かを時刻データ発生部１１１において発生する時刻データに基づいて判定することにより、表示部１０７の表示画像を正確なタイミングで切替えることができる。
【００６９】
＜第２の実施形態＞
次に、本発明の第２の実施形態について説明する。
【００７０】
図４は、第２の実施形態に係る画像表示装置の構成の一例を示す図である。図４に示す画像表示装置は、図１に示す画像表示装置における時刻データ発生部１１１をタイマ部１１２及び１１３に置換し、制御部１１５を制御部１１５Ａに置換したものであり、他の構成要素は図１に示す画像表示装置と同じである。
【００７１】
タイマ部１１２は、制御部１１５Ａから開始要求を受けると計時を開始し、終了要求を受けると計時を終了する。そして計時を終了したとき、計時の開始時点から終了時点までの時間を制御部１１５Ａに通知する。
【００７２】
タイマ部１１３は、ある設定された時間を計時するように制御部１１５Ａから要求を受けると計時を開始し、この開始時点からの経過時間が上記設定された時間に達すると計時を終了する。そして、計時を終了したとき、その旨を制御部１１５Ａに通知する。
【００７３】
制御部１１５Ａは、表示部１０７が先頭の静止画の表示を開始したときタイマ部１１２に計時の開始を要求し、復号化部１０８が次に表示すべき静止画の画像データの復号化を終了したときタイマ部１１２に計時の終了を要求する。そして、その計時終了要求に応じてタイマ部１１２から通知される時間を、先述した復号化処理時間‘Ｔ４’として取得する。
【００７４】
また制御部１１５Ａは、復号化部１０８が次に表示すべき静止画の画像データの復号化を終了すると、タイマ部１１３に時間‘Ｔ２−Ｔ４’を設定して計時を要求する。そして、この要求後にタイマ部１１３が計時の終了を通知したとき、表示部１０７の表示画像の切替えを行う。
【００７５】
図４に示す画像表示装置における全体の処理の流れは、例えば先に説明した図２，図３に示すフローチャートと同様である。
ただし、制御部１１５Ａは、ステップＳＴ１０９においてタイマ部１１２からの通知に基づいて時刻‘Ｔ４’を取得する。またステップＳＴ１１１において、タイマ部１１３の通知に応じて表示部１０７の表示画像の切替えを行う。他のステップにおける制御部１１５Ａの動作は、先の実施形態において説明した制御部１１５と同様である。
【００７６】
以上説明したように、本実施形態に係る画像表示装置によれば、計時の開始時点から終了時点までの時間を通知するタイマ部１１２を用いて復号化処理時間‘Ｔ４’を取得することにより、先述した制御部１１５における時間‘Ｔ３−Ｔ１’の演算処理を省略することが可能になり、制御部１１５Ａの処理を簡易化できる。
また、本実施形態に係る画像表示装置によれば、タイマ部１１３から計時終了の通知を受けたときに表示部１０７の表示画像の切替えを行えば良いため、先述した制御部１１５における時刻データの監視処理を省略することが可能になり、制御部１１５Ａの処理を簡易化できる。
【００７７】
＜第３の実施形態＞
次に、本発明の第３の実施形態について説明する。
【００７８】
図５は、第３の実施形態に係る画像表示装置の構成の一例を示す図である。図５に示す画像表示装置は、図１に示す画像表示装置における時刻データ発生部１１１をタイマ部１１４に置換し、制御部１１５を制御部１１５Ｂに置換したものであり、他の構成要素は図１に示す画像表示装置と同じである。
【００７９】
タイマ部１１４は、制御部１１５Ｂから開始要求を受けると計時を開始し、制御部１１５Ｂから通知要求を受けると当該計時の開始時点からの時間‘Ｔ５’を通知する。また、制御部１１５Ｂから計時時間を初期化する要求を受けると計時を終了して、時間‘Ｔ５’を初期化する。
【００８０】
制御部１１５Ｂは、表示部１０７が先頭の静止画の表示を開始したときタイマ部１１４に計時の開始を要求する。そして、この計時開始要求の後、各静止画の規定の表示時間‘Ｔ２’より短い時間間隔で繰り返しタイマ部１１４に時間の通知を要求し、この要求に応じて通知される時間‘Ｔ５’が規定の表示時間‘Ｔ２’に達したか監視する。タイマ部１１４から通知される時間‘Ｔ５’が規定の表示時間‘Ｔ２’に達すると、制御部１１５は表示部１０７の表示画像を次の静止画に切替える。
【００８１】
上述した構成を有する図５に示す画像表示装置の２つの動作例について、図６及び図７のフローチャートを参照して説明する。
【００８２】
図６は、図５に示す画像表示装置の第１の動作例を示すフローチャートである。
【００８３】
壁紙用の画像として画像ファイルＦＩＬの動画像の表示を開始するように指示を受けた場合、まず制御部１１５Ｂは、画像ファイルＦＩＬの先頭画像の復号化された画像データ（例えばビットマップ形式の画像データ）が記憶部１１０の壁紙画像保存領域１１０１に格納されているか否か判定する（ステップＳＴ２０１）。
壁紙画像保存領域１１０１に画像データが格納されている場合、制御部１１５Ｂは、その画像データを壁紙用の画像インスタンスとしてヒープ領域１１０２に格納する（ステップＳＴ２０３）。
壁紙画像保存領域１１０１に画像データが格納されていない場合、制御部１１５Ｂは、画像ファイルＦＩＬに含まれる先頭の静止画の画像データを復号化部１０８において復号化し、その復号化結果の画像データを壁紙画像保存領域１１０１に格納する（ステップＳＴ２０２）。そして、壁紙画像保存領域１１０１に格納した画像データを壁紙用の画像インスタンスとしてヒープ領域１１０２に格納する（ステップＳＴ２０３）。
【００８４】
次いで制御部１１５Ｂは、ヒープ領域１１０２に格納した画像データを表示部１０７の画面に描画する（ステップＳＴ２０４）。これにより、表示部１０７の画面には、動画像の先頭の静止画が表示される。
【００８５】
先頭の静止画の表示を開始すると、制御部１１５Ｂはタイマ部１１４に計時の開始を要求し（ステップＳＴ２０５）、タイマ部１１４において計時が開始される。
【００８６】
次いで制御部１１５Ｂは、記憶部１０９に格納される画像ファイルＦＩＬを読み出し、先頭の静止画の次に表示すべき２番目の静止画の画像データを復号化部１０８において復号化する（ステップＳＴ２０６）。またこのとき、画像ファイルＦＩＬに含まれる各静止画の規定の表示時間‘Ｔ２’に関する情報を取得し、記憶部１１０に保存する。
【００８７】
復号化部１０８において２番目の静止画の復号化処理が終了すると、制御部１１５Ｂは復号化結果の画像データを復号化部１０８から取得し、２番目の静止画の画像インスタンスとしてヒープ領域１１０２に保存する（ステップＳＴ２０７）。
【００８８】
また制御部１１５Ｂは、２番目の静止画の復号化処理が終了すると、タイマ部１１４に対して反復的に時間の通知を要求し、この要求に応じてタイマ部１１４から通知される時間‘Ｔ５’が静止画の規定の表示時間‘Ｔ２’に達しているか監視する（ステップＳＴ２０８，ＳＴ２０９）。時間‘Ｔ５’が規定の表示時間‘Ｔ２’に達すると、制御部１１５Ｂは次の静止画の画像インスタンスを描画し（ステップＳＴ２１０）、タイマ部１１４の計時時間‘Ｔ５’を初期化する（ステップＳＴ２１１）。なお、ステップＳＴ２０９にてタイマ部１１４から通知される時間‘Ｔ５’が静止画の規定の表示時間‘Ｔ２’に達していないと判断された場合には、ステップＳＴ２０８に戻り、計時時間‘Ｔ５’が規定の表示時間‘Ｔ２’に達するまで同処理が行われる。
【００８９】
その後、制御部１１５Ｂは、壁紙用の動画像の表示を終了する所定のイベントが発生しているか判定し（ステップＳＴ２１２）、そのようなイベントが発生していない場合は、ステップＳＴ２０５以降の処理を繰り返す。
すなわち、タイマ部１１４に再び計時の開始を要求し（ステップＳＴ２０５）、現在表示中の静止画の次に表示すべき静止画の復号化処理を実行する（ステップＳＴ２０６）。次の静止画の復号化が終了したら、その復号化結果を画像インスタンスとして保存し（ステップＳＴ２０７）、タイマ部１１４の計時時間‘Ｔ５’が規定の表示時間‘Ｔ２’に達しているか監視する（ステップＳＴ２０８，ＳＴ２０９）。計時時間‘Ｔ５’が規定の表示時間‘Ｔ２’に達すると、表示部１０７の表示画像を次の静止画に切替えて（ステップＳＴ２１０）、タイマ部１１４の計時時間‘Ｔ５’を初期化する（ステップＳＴ２１１）。
したがって、表示部１０７において１つの静止画を表示している間、復号化部１０８ではその次に表示すべき１つの静止画の画像データが復号化される。
【００９０】
図７は、図５に示す画像表示装置の第２の動作例を示すフローチャートである。
【００９１】
第２の動作例において、復号化部１０８は静止画の復号化処理を連続的に実行する。すなわち復号化部１０８は、ステップＳＴ２０６において復号化処理が開始されると、先に説明した図３のフローチャートの場合と同様に、２番目だけでなくそれ以降の静止画の復号化処理も連続的に実行する。
【００９２】
図７に示すフローチャートにおけるステップＳＴ２０１〜ＳＴ２１２は、図６に示すフローチャートにおける同一符号のステップと同じである。図７のフローチャートは、ステップＳＴ２１２において動画像の表示を続行すると判定した場合、次に述べるステップＳＴ２１３及びＳＴ２１４の処理を経てステップＳＴ２０７の画像インスタンス保存処理に戻る点で、図６に示すフローチャートと異なる。
【００９３】
ステップＳＴ２１２において動画像の表示処理の続行を判定すると、制御部１１５Ｂはタイマ部１１４に計時の開始を再び要求する（ステップＳＴ２１３）。次に制御部１１５Ｂは、復号化部１０８において次に表示すべき静止画の復号化処理が終了しているか否か判定し（ステップＳＴ２１４）、復号化処理が終了したと判定したら、ステップＳＴ２０７に戻る。そして、その復号化結果の画像データを次に表示すべき静止画の画像インスタンスとしてヒープ領域１１０２に保存する。以降、制御部１１５Ｂは、先に説明したステップＳＴ２０８〜ＳＴ２１１の処理を実行し、現在表示中の静止画の表示開始時刻から規定の時間‘Ｔ２’が経過したとき、表示部１０７の表示画像を次の静止画に切替える。
【００９４】
以上説明したように、本実施形態に係る画像表示装置によれば、タイマ部１１４において計時される時間‘Ｔ５’が規定の表示時間‘Ｔ２’に達しているかを監視することにより、先頭画像を含む各静止画の表示時間を規定の表示時間‘Ｔ２’に合わせることができる。これにより、図１に示す画像表示装置における演算処理（時間‘Ｔ３−Ｔ１’や‘Ｔ２−Ｔ４’の演算など）を省略することが可能になるため、制御部１１５Ｂの処理を簡易化できる。
【００９５】
以上、本発明の幾つかの実施形態について説明したが、本発明は上述した実施形態にのみ限定されるものではなく、種々のバリエーションを含んでいる。
【００９６】
例えば、上述した第１の実施形態では、復号化処理時間‘Ｔ４’と各静止画の規定の表示時間‘Ｔ２’とを比較（図２のステップＳＴ１１０）した結果、規定の表示時間‘Ｔ２’が復号化処理時間‘Ｔ４’より長い場合には、待ち時間‘Ｔ２−Ｔ４’を設定して、この待ち時間‘Ｔ２−Ｔ４’が経過した後に２番目の静止画の画像インスタンスを描画する（図２のステップＳＴ１１１，ＳＴ１１３）構成としているが、本発明はこれに限定されない。例えば、図８のフローチャートに示されるように、復号化処理時間‘Ｔ４’と各静止画の規定の表示時間‘Ｔ２’が復号化処理時間‘Ｔ４’よりも長い場合には、図６及び図７に示されるフローチャートのステップＳＴ２０８，ＳＴ２０９と同様に、タイマ部１１４による計時時間‘Ｔ５’を取得して（ステップＳＴ１１１１）、この計時時間‘Ｔ５’が規定の表示時間‘Ｔ２’に達しているか監視し（ステップＳＴ１１１２）、計時時間‘Ｔ５’が規定の表示時間‘Ｔ２’に達すると、表示部１０７の表示画像を次の静止画に切り替えて（ステップＳＴ１１３）、タイマ部１１４の計時時間‘Ｔ５’を初期化する（ステップＳＴ２１１）ようにしてもよい。
この場合にも、第１の実施形態と同様に、先頭の静止画の表示を開始してから規定の時間‘Ｔ２’が経過したとき、先頭の静止画の次に表示される２番目の静止画を表示部１０７に表示させることができる。さらに、第３の実施形態と同様に、待ち時間‘Ｔ２−Ｔ４’の演算処理を省略することが可能になるため、制御部１１５Ｂの処理を簡素化できる。
【００９７】
上述の実施形態では、待受けモードにおいて動画像を表示する場合を例に挙げているが、本発明はこれに限定されない。すなわち、他の種々の動作モードにおいて動画像を表示する場合にも本発明は適用可能である。
【００９８】
画像表示装置の各構成要素の機能は、全てをソフトウェアで実現しても良いし、その少なくとも一部をハードウェアで実現しても良い。例えば、制御部１１５における処理や通信部１０２、音声処理部１０４、復号化部１０８におけるデータ処理は、１つ又は複数のプログラムによってコンピュータ上で実現しても良いし、その少なくとも一部をハードウェアで実現しても良い。
【００９９】
上述の実施形態では、携帯電話機において動画像を表示する場合を例に挙げているが、これに限らず、動画像を表示可能な種々の装置に本発明は適用可能である。
【図面の簡単な説明】
【０１００】
【図１】第１の実施形態に係る画像表示装置の構成の一例を示す図である。
【図２】図１に示す画像表示装置の第１の動作例を示すフローチャートである。
【図３】図１に示す画像表示装置の第２の動作例を示すフローチャートである。
【図４】第２の実施形態に係る画像表示装置の構成の一例を示す図である。
【図５】第３の実施形態に係る画像表示装置の構成の一例を示す図である。
【図６】図５に示す画像表示装置の第１の動作例を示すフローチャートである。
【図７】図５に示す画像表示装置の第２の動作例を示すフローチャートである。
【図８】図１に示す画像表示装置の変形例を示すフローチャートである。
【符号の説明】
【０１０１】
１０１…アンテナ、１０２…通信部、１０３…キー入力部、１０４…音声処理部、１０５…スピーカ、１０６…マイクロフォン、１０７…表示部、１０８…復号化部、１０９，１１０…記憶部、１１１…時刻データ発生部、１１２〜１１４…タイマ部、１１５，１１５Ａ，１１５Ｂ…制御部、１１０１…壁紙画像保存領域、１１０２…ヒープ領域、ＦＩＬ…画像ファイル。
【図１】
2007121783.tif 000003
【図２】
2007121783.tif 000004
【図３】
2007121783.tif 000005
【図４】
2007121783.tif 000006
【図５】
2007121783.tif 000007
【図６】
2007121783.tif 000008
【図７】
2007121783.tif 000009
【図８】
2007121783.tif 000010